(57)【要約】【課題】波形状フィルタの襞の頂部から被叩き部材が剥離することのない電気掃除機用フィルタを提供すること。【解決手段】波形状フィルタ本体（プリーツフィルタ１０４）の襞Ｐａの頂部（稜線部１０４Ａ）に樹脂製で所定幅の被叩き部材（プリーツ枠１０５）が固着されている。しかも、前記襞Ｐａの頂部（稜線部１０４Ａ）の長手方向途中に内外面に開口する切欠１０４ｂ１が形成されていると共に、前記被叩き部材（プリーツ枠１０５）は、少なくとも前記切欠１０４ｂ１及び前記襞Ｐａの切欠周囲外面を覆うカバー部（１０５ａ，１０５ｂ）と、前記襞の切欠周囲内面を覆う抜止部（補強枠１０８）とを有する。【選択図】図２８
2007117652.tif 000002
【特許請求の範囲】
【請求項１】
波形状フィルタ本体の襞の頂部に樹脂製で所定幅の被叩き部材が固着された電気掃除機用フィルタであって、
前記襞の頂部の長手方向途中に内外面に開口する切欠が形成されていると共に、前記被叩き部材は、少なくとも前記切欠及び前記襞の切欠周囲外面を覆うカバー部と、前記襞の切欠周囲内面を覆う抜止部とを有することを特徴とする電気掃除機用フィルタ。
【請求項２】
請求項１に記載の電気掃除機用フィルタにおいて、前記カバー部は前記襞の延びる方向全長に渡って前記襞の頂部外面に帯状に形成されていることを特徴とする電気掃除機用フィルタ。
【発明の詳細な説明】
【技術分野】
【０００１】
この発明は、波形状フィルタ本体を有する電気掃除機用フィルタに関するものである。
【背景技術】
【０００２】
従来の電気掃除機としては、例えば、塵埃を慣性分離して集塵室（集塵部）に捕集する一方、集塵室に捕集できなかった細塵をプリーツフィルタ（波形状フィルタ）で捕捉すると共に、停止時にプリーツフィルタの多数の襞を回転する叩き部材で順に叩いて各襞に振動を与え、プリーツフィルタに付着した細塵を叩き落とすようにしたものが知られている（例えば、特許文献１参照）。
【０００３】
このような電気掃除機では、プリーツフィルタの各襞の叩き部材で叩かれる部分に樹脂製の被叩き部材を固着した構造も考えられている。
【特許文献１】特開２００４−１６７０６６号公報
【発明の開示】
【発明が解決しようとする課題】
【０００４】
しかしながら、従来はプリーツフィルタの襞の頂部外面に被叩き部材を固着した構造であるため、被叩き部材が襞の頂部から剥離しやすいという問題があった。
【０００５】
そこで、この発明は、波形状フィルタの襞の頂部から被叩き部材が剥離することのない電気掃除機用フィルタを提供することを目的とするものである。
【課題を解決するための手段】
【０００６】
この目的を達成するため、この発明は、波形状フィルタ本体の襞の頂部に樹脂製で所定幅の被叩き部材が固着された電気掃除機用フィルタであって、前記襞の頂部の長手方向途中に内外面に開口する切欠が形成されていると共に、前記被叩き部材は、少なくとも前記切欠及び前記襞の切欠周囲外面を覆うカバー部と、前記襞の切欠周囲内面を覆う抜止部とを有する電気掃除機用フィルタとしたことを特徴とする。
【発明の効果】
【０００７】
この発明によれば、被叩き部材が叩き部材により叩かれて、被叩き部材に外力が作用しても、抜止部の作用により被叩き部材が波形状フィルタ本体の襞の頂部外面から剥離する方向に移動できないので、波形状フィルタ本体の襞の頂部から被叩き部材が剥離することを確実に防止できる。
【発明を実施するための最良の形態】
【０００８】
以下、この発明に係る電気掃除機の実施の形態である実施例を図面に基づいて説明する。
【実施例】
【０００９】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１０】
吸込口体１５には、その底面に塵埃を吸引する図示しない吸込開口（塵埃吸込口）を形成した吸込室（図示せず）が形成されており、この吸込室は延長管１４および集塵ホース１２を介して掃除機本体１１内に設けた集塵ユニット５０（図６参照）の吸込接続口５７ａに連通している。
【００１１】
掃除機本体１１は、本体ケース２０と、本体ケース２０内に装着された集塵ユニット５０（図６参照）と、後述する電動送風機２４とを備えている。
【００１２】
本体ケース２０の前側には、図２ないし図５に示すように、集塵ユニット室（装着部）２２が形成されており、この集塵ユニット室２２には後述する塵埃分離ユニット４００と集塵部ユニット４１０とが着脱自在に装着されるようになっている。
【００１３】
集塵ユニット室２２の上部には開口２３が形成され（図３参照）、この開口２３は図２に示すように蓋ケース２１Ａ,２１Ｂによって閉鎖されている。また、本体ケース２０の後側には電動送風機２４が設けられており、この電動送風機２４の前側（図２において右側）に前面開口２５Ｂを有する円筒状の接続風路部２５が形成され、この接続風路部２５内には格子部材２５Ｋが配置されており、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１４】
集塵ユニット室２２には、図３ないし図５に示すように、駆動ギア（第１伝達手段）Ｇａと、この駆動ギアＧａを回転させる駆動モータ（駆動手段）Ｍとが設けられている。
【００１５】
集塵ユニット５０は、図６ないし図８に示すように、塵埃分離ユニット４００と集塵部ユニット４１０とを備えている。
【００１６】
塵埃分離ユニット４００は、塵埃分離部（第１分離部）５２と、塵埃分離部５２と一体となっているフィルタ部８０と、このフィルタ部８０の上に設けた蓋ケース２１Ａとから構成されている。集塵部ユニット４１０は、集塵部７０と、この集塵部７０の上に設けられた蓋ケース２１Ｂとから構成されている。
【００１７】
塵埃分離部５２は、外周壁５３によって円筒状に形成された分離室部５４と、この分離室部５４内に分離室部５４の軸線に沿って設けられたほぼ円錐形状の塵埃分離手段５５と、分離室部５４の右側壁５４Ａ（図９参照）の外側に設けた吸引風路部５６と、吸込接続口５７ａ（図６参照）から分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００１８】
分離室部５４の外周壁５３の上部には、図７に示すように、空気から分離された塵埃を集塵部７０へ導入する導入開口５３Ａと、後述する排出開口８４Ｋ（図１０参照）から排出される塵埃を分離室部５４へ導入する導入孔１５３Ｂとが形成されている。
【００１９】
また、分離室部５４の右側壁５４Ａには、図９および図１０に示すように、円形の開口１５４Ａと扇状の開口１５４Ｂとが形成され、開口１５４Ａには塵埃分離手段５５が取り付けられており、開口１５４ＢにはネットフィルタＮＦ２が取り付けられている。また、右側壁５４Ａには接続開口５４Ａａが形成され、この接続開口５４Ａａには案内風路管５７が接続されており、分離室部５４と案内風路管５７とが連通している。
【００２０】
分離室部５４の左側面（図７において）は開口されており、この開口５４Ｂａ（図９参照）には蓋５８（図８参照）が着脱自在に装着されている。
【００２１】
塵埃分離手段５５は、図１０に示すように円板５５ａと、リング枠５５ｂと、円板５５ａとリング枠５５ｂとを連結した複数の連結枠５５ｃと、連結枠５５ｃの周囲に貼り付けたネットフィルタＮＦ１とから構成されている。そして、吸引風路部５６は、右側壁５４Ａの開口１５４ＡおよびネットフィルタＮＦ１を介して分離室部５４内に連通し、また右側壁５４Ａの開口１５４ＢのネットフィルタＮＦ２を介して分離室部５４内に連通している。
【００２２】
吸引風路部５６は、後述するフィルタ部８０の収納ケース８１内に連通しているとともに、その右側壁部１５６（図７参照）に形成した接続開口５６Ａを介して後述する集塵ケース部７４の集塵室７３に連通している。
【００２３】
案内風路管５７は、分離室部５４の接続開口５４Ａａから分離室部５４内へ導入される空気を図９および図１０の矢印に示すように反時計回りに回転させるようになっている。
【００２４】
集塵部７０は、図１１および図１２に示すように、上部に左右方向に延びた連通路７１（図７参照）を形成した連通ケース部７２と、この連通ケース部７２の右端部から下方に延びるとともに塵埃を集塵する集塵室７３（図７参照）を形成した集塵ケース部７４とを有している。
【００２５】
連通ケース部７２の下面には開口７２Ａが形成され、この開口７２Ａは図７に示すように塵埃分離部５２の導入開口５３Ａに接続されている。また、集塵ケース部７４の左側壁部７４Ａには図１３に示すように接続開口７５が形成されており、この接続開口７５にはネットフィルタＮＦ３が取り付けられている。
【００２６】
このネットフィルタＮＦ３の外側であって、ネットフィルタＮＦ３から所定距離離間した位置にカバー板１７０が集塵ケース部７４の外壁部に取り付けられている。カバー板１７０の下部には開口１７０Ａが形成され、ネットフィルタＮＦ３の上部が所定距離離間した位置からカバー板１７０によって覆われている。
【００２７】
カバー板１７０の開口１７０Ａは、図７に示すように吸引風路部５６の接続開口５６Ａに接続されている。
【００２８】
また、集塵ケース部７４は、右側面が開口したケース部１７４と（図１３参照）、このケース部１７４の開口７６に開閉自在に取り付けられた蓋体７７（図１４参照）とから構成されている。
【００２９】
蓋体７７の底壁部７７Ａには、図１２に示すように左方向へ延びたアーム部７７Ｍが形成され、このアーム部７７Ｍに図１４に示すように軸部７７Ｊが設けられており、この軸部７７Ｊが集塵ケース部７４の底部に設けた軸受部７８に回動自在に保持されている。そして、その軸部７７Ｊを中心にして蓋体７７が回動することにより、集塵ケース部７４の開口７６が開閉されるようになっている。
【００３０】
また、蓋体７７の上部には図示しないフックが形成され、このフックが集塵ケース部７４の係止部（図示せず）に係止することにより蓋体７７が開かないようになっている。そして、図１５に示すように、集塵部７０の蓋ケース２１Ｂに設けた解除ボタン２１Ｂａを操作すると、そのフックの係止が解除され、蓋体７７を下側にすることにより、蓋体７７は自重により軸部７７Ｊ回りに回動して開成する。
【００３１】
蓋体７７は、図１４に示すように、底壁部７７Ａと、この底壁部７７Ａの両側に形成された側壁部７７Ｂ,７７Ｃと、この側壁部７７Ｂ,７７Ｃの上部に形成された上壁部７７Ｄと、これら底壁部７７Ａ,側壁部７７Ｂ,７７Ｃ,上壁部７７Ｄで囲まれた蓋板部７７Ｅとを有している。そして、ケース部１７４と蓋体７７は、集塵ケース部７４を縦割に２分割して形成した状態となっており、蓋体７７の側壁部７７Ｂの幅は集塵ケース部７４の側部の幅の１／２以上に設定されている。
【００３２】
そして、塵埃分離ユニット４００を装着した掃除機本体１１の集塵ユニット室２２に集塵部ユニット４１０を装着すると、図７に示すように集塵部ユニット４１０の開口７２Ａに塵埃分離部５２の導入開口５３Ａが接続され、集塵部ユニット４１０のカバー板１７０の開口１７０Ａが塵埃分離ユニット４００の吸引風路部５６の接続開口５６Ａに接続されるようになっている。
【００３３】
フィルタ部８０は、後面（図８において左側面）が開口されるとともに円筒状の収納ケース８１と、この収納ケース８１内に回転自在に取り付けられたプリーツフィルタ体（二次フィルタ）１００と、このプリーツフィルタ体１００と一体に回転していく掃出体３００（図１６参照）とを有している。収納ケース８１の前壁部（区画壁）８４の前面（図６において右側）には塵埃分離部５２が一体に形成されている。収納ケース８１内がフィルタ室１８１となっている（図１０参照）。
【００３４】
収納ケース８１の前壁部８４には、図１６に示すように、接続開口８４Ａと上部に塵埃を排出する排出開口８４Ｋが形成され、接続開口８４Ａが吸引風路部５６（図７参照）に接続されている。そして、その接続開口８４Ａを介して収納ケース８１内と吸引風路部５６とが連通している。
【００３５】
排出開口８４Ｋは、図１０に示すように、閉塞蓋４５０により閉塞され、この閉塞蓋４５０はスプリング４０１により後方（図１０において左方）へ付勢されている。また、閉塞蓋４５０はスプリング４０１の付勢力に抗して前方（右方）へ移動可能となっており、前方へ移動することにより排出開口８４Ｋが開成される。開閉蓋４５０には突起４５０Ａが設けられており、この突起４５０Ａが排出開口８４Ｋから収納ケース８１内へ突出している。
【００３６】
排出開口８４Ｋは、連通部材４０３によって塵埃分離部５２の導入孔１５３Ｂに連通されている。
【００３７】
また、前壁部８４の接続開口８４Ａの縁部にはその接続開口８４Ａを臨むように板バネ体５００が取り付けられている。
【００３８】
この板バネ体５００は、図２４および図２５に示すように、前壁部８４に取り付ける取付部５０１と、この取付部５０１に連続形成された弾性部材であるＵ字形の板バネ部（板バネ：突起手段）５０２とを有しており、板バネ部（叩き部材）５０２の一端に折り返した折返部５０３が形成され、この折返部５０３が後述するプリーツフィルタ体１００のプリーツ枠１０５の突出部１０６に面接触するようになっている（図２７参照）。折返部５０３の幅方向の延長線上にはプリーツフィルタ１０４の回転中心Ｓ１が位置するように、その折返部５０３の向きが設定されている。
【００３９】
また、前壁部８４に突設したボス部Ｂ２を取付部５０１の係合孔５０１ａに挿入すると共に、取付部５０１をビスＢ１で前壁部８４に固定することにより、取付部５０１は回転止めがなされている。
【００４０】
板バネ部５０２の板部５０２Ａと接続開口８４Ａの内壁面８４Ａａとの間にギャップＷ１が形成され、板バネ部５０２に所定のバネ性を発揮させることができる。また、板バネ部５０２の板部５０２Ａと板部５０２Ｂとの間の間隙Ｗ２を調整することにより、折返部５０３の先端５０３ａが後述するプリーツフィルタ体１００のプリーツ枠１０５とプリーツフィルタ１０４（図２７参照）との境に当接しないようになっている。
【００４１】
また、前壁部８４の中心部には図１６に示すように軸８４Ｊが形成されている。
【００４２】
収納ケース８１の内周壁面は、プリーツフィルタ１０４から落とされた塵埃を受ける塵埃受部８６となっている。
【００４３】
プリーツフィルタ体１００は、図１７に示すように、筒状の枠体（筒状枠）１０１と、この枠体１０１の中心位置に設けた軸部１０１Ａと、この軸部１０１Ａから放射状にプリーツ（波形状で放射状の襞）を形成するための複数のプリーツ枠１０２,１０３を有する。また、プリーツフィルタ体１００は、図３０に示したプリーツ枠１０５と、図１７のプリーツ枠１０２,１０３及び図３０のプリーツ枠１０５に固着されたプリーツフィルタ（波形状フィルタ本体）１０４とを有している。尚、軸部１０１Ａは、筒状の枠体１０１の一側に突出している。
【００４４】
このプリーツフィルタ１０４は、一面側の多数（複数）の襞Ｐａと、他面側（電動送風機２４側の面）の多数（複数）の襞Ｐｂを有する。この各複数の襞Ｐａ，Ｐｂは、軸部１０１Ａから枠体１０１に向けてそれぞれ放射状に形成されている。
【００４５】
尚、枠体１０１とプリーツ枠１０２，１０３，１０５は射出成形により一体に形成されている。しかも、プリーツフィルタ１０４は、筒状の枠体１０１とプリーツ枠１０２，１０３，１０５を射出成形する際に、図３０に示したように一面側（集塵部側）の襞Ｐａの稜線部１０４Ａがプリーツ枠１０５にインサート成形により固着され、他面側の襞Ｐｂの稜線部１０４Ｂの内面（谷部）にプリーツ枠１０３が固着される。
【００４６】
更に、襞Ｐａは、図２８に示したように傾斜壁（フィルタ部）Ｗａ，Ｗｂから逆Ｖ字状に形成されている。しかも、プリーツ枠１０５は、プリーツフィルタ１０４の多数（複数）の襞Ｐａの稜線部（頂部）１０４Ａ（図２６参照）の全長に亘って帯状に延びている。即ち、プリーツ枠（カバー部）１０５は、図２８（ａ）に示すように稜線部１０４Ａを覆う稜線カバー部１０５ａと、傾斜壁Ｗａ，Ｗｂの稜線部１０４Ａ付近の外面を覆う外面カバー部１０５ｂ，１０５ｂから逆Ｖ字状に形成されている。また、このプリーツ枠１０５の中間位置には、稜線カバー部１０５ａから突出する突出部（当接部）１０６が一体に形成されている。尚、このプリーツ枠１０５は、突出部（突起部）１０６及びその付近が被叩き部となる。従って、プリーツ枠１０５は被叩き部材として用いられる。
【００４７】
更に、図２６（ａ）に示すようにプリーツフィルタ１０４の稜線部（頂部）１０４Ａの長手方向の中央部には、Ｖ字状（三角形状）の切欠１０４ｂ１が形成されている。しかも、図２６（ｂ）に示すように稜線部１０４Ａには、切欠１０４ｂ１による孔１０４ｂが形成されている。この切欠１０４ｂ１及び孔１０４ｂは、図２８（ｂ）に示したようにプリーツ枠１０５の一部で覆われている。また、稜線部１０４Ａの内面側には、図２８，図２９に示したようにプリーツ枠１０５と一体の補強枠１０８が固着されている。
【００４８】
この補強枠（抜止部）１０８は、枠体１０１及びプリーツ枠１０２，１０３、１０５を射出成形する際に、孔１０４ｂを介してプリーツフィルタ１０４の襞Ｐａの稜線部１０４Ａ内に樹脂を流し込むことによりプリーツ枠１０５と一体に形成したものである。この補強枠１０８とプリーツ枠１０５とは、プリーツフィルタ１０４の稜線部１０４Ａを挟持して、プリーツフィルタ１０４のプリーツ枠１０５への取り付け強度を大きくしていると共に、プリーツ枠１０５がカバー部１０５ａ，１０５ｂから剥離するのを防止している。
【００４９】
なお、図１７においてプリーツフィルタ１０４の右側が上流であり、プリーツフィルタ１０４の内側が下流である。
【００５０】
軸部１０１Ａの軸穴１０１Ａａには、図２に示すように、前壁部８４の軸８４Ｊが相対的に回転自在に挿入され、プリーツフィルタ体１００は軸８４Ｊを中心にして回転していくようになっている。
【００５１】
枠体１０１の後端に、図１７に示すように長さの短い円筒部１１０が形成され、この円筒部１１０の外周面に図１８に示すように周方向に沿って径の小さい３つの小径部１１０Ａが等間隔に形成されている。そして、その小径部１１０Ａと小径部１１０Ａとの間が大径部１１０Ｂとなっている。
【００５２】
この小径部１１０Ａや大径部１１０ＢはマイクロスイッチＳ１により検知するものであり、このマイクロスイッチＳ１（図示せず）は掃除機本体１１の集塵ユニット室２２内に設けられている。この実施例では、例えば大径部１１０Ｂを検知しているときマイクロスイッチＳ１はオンし、小径部１１０Ａを検知しているときオフするようになっている。
【００５３】
円筒部１１０の後端面にはギア１０７が形成され、このギア１０７および円筒部１１０は収納ケース８１から外へ突出しており、このギア１０７は掃除機本体１１の集塵ユニット室２２の駆動ギアＧａに噛合しており、モータＭの駆動によりプリーツフィルタ体１００が収納ケース８１内で回転していくようになっている。
【００５４】
そして、塵埃分離ユニット４００を掃除機本体１１の集塵ユニット室２２に装着するとギア１０７が駆動ギアＧａに噛合され、その集塵ユニット室２２から塵埃分離ユニット４００を持ち上げると、ギア１０７は駆動ギアＧａから外れて、塵埃分離ユニット４００は集塵ユニット室２２から簡単に取り外せるようになっている。
【００５５】
掃出体３００は、図１９および図２０に示すように、プリーツフィルタ体１００の軸部１０１Ａに嵌合されてその軸部１０１Ａと一体に回転していく軸部３０１と、この軸部３０１から径方向に延びた３つのアーム３０２と、このアーム３０２の先端部に設けられた掃出部材３０３とを有している。なお、図２０では２つの掃出部材３０３は省略してある。
【００５６】
掃出部材３０３の先端部は、収納ケース８１の塵埃受部８６の内壁面を摺接してその塵埃受部８６に溜まっている塵埃を掻き上げていく第１摺接部３０３Ａとなっており、掃出部材３０３の一側部は、収納ケース８１の前壁部８４上を摺接する第２摺接部３０３Ｂとなっている。また、掃出部材３０３の片面には、第１摺接部３０３Ａで掻き上げた塵埃を排出開口８４Ｋへ落とす傾斜面（ガイド傾斜面）３０３Ｃが形成されている。
【００５７】
掃出体３００は、プリーツフィルタ体１００が回転していくことにより回転していき、この回転により掃出部材３０３は図１６に示す収納ケース８１の塵埃受部８６の内周面に沿ってその内周面および前壁部８４を摺接移動して行くことになる。この摺接移動により、掃出部材３０３が塵埃受部８６に溜まった塵埃を掃き出しながら排出開口８４Ｋへ押し上げていくようになっている。
【００５８】
掃出部材３０３が排出開口８４Ｋの位置に移動してくると、掃出部材３０３が開閉蓋４５０の突起４５０Ａを押圧して開閉蓋４５０をスプリング４０１の付勢力に抗して前方へ移動させて、排出開口８４Ｋを開成させる。
【００５９】
プリーツフィルタ体１００が回転して、掃出部材３０３が図１６に示す位置にくると、マイクロスイッチＳ１がオンからオフに切り替わるように、すなわちマイクロスイッチＳ１がプリーツフィルタ体１００の円筒部１１０の大径部１１０ＢＢの検知から小径部１１０Ａの検知へと切り替わるように、マイクロスイッチＳ１の取り付け位置と、プリーツフィルタ体１００に対する掃出体３００の取り付け位置が設定されている。
【００６０】
そして、掃出部材３０３が図１６に示す位置にきたとき、排出開口８４Ｋは開閉蓋４５０により閉塞されるようになっている。
【００６１】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される。
【００６２】
図２１はこの電気掃除機の制御系の構成を示したブロック図である。図２１において、２００は操作部１３Ａの操作スイッチ１３ａ（図１参照）の操作やマイクロスイッチＳ１の検知信号に基づいて電動送風機２４やモータＭを制御する制御装置である。
［動  作］
次に、上記のように構成される電気掃除機の動作について説明する。
【００６３】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００６４】
そして、図示しない電源プラグをコンセントに接続する。この接続により制御装置２００がモータＭを駆動させて、フィルタ部８０のプリーツフィルタ体１００を回転させていく。プリーツフィルタ体１００の回転とともに掃出体３００が回転していき、掃出体３００の掃出部材３０３は、その第１摺接部３０３Ａが塵埃受部８６の周面上を摺接移動してその塵埃受部８６に溜まっている塵埃を周面に沿って上に押し上げていく。
【００６５】
このように、掃出部材３０３は回転移動により塵埃を塵埃受部８６に沿って排出開口８４Ｋへ押し上げていくので、その押し上げは簡単な構造で行うことができる。また、掃出体３００はプリーツフィルタ体１００の回転によって回転するので、駆動源は１つでよく、掃出体３００用の専用のモータは不要となる。
【００６６】
そして、掃出部材３０３が排出開口８４Ｋの位置にくると、図２２に示すように、掃出部材３０３の第２摺接部３０３Ｂが開閉蓋４５０の突起４５０Ａを押圧するので、開閉蓋４５０が開成する。
【００６７】
一方、掃出部材３０３の第１摺接部３０３Ａで掻き上げられた塵埃は、掃出部材３０３の側面３０３Ｄを介して傾斜面３０３Ｃに落とされ、さらにその塵埃は傾斜面３０３Ｃによって排出開口８４Ｋへ落とされて排出される。この排出開口８４Ｋに落とされた塵埃は連通部材４０３を介して塵埃分離部５２の導入孔１５３Ｂから分離室部５４内へ戻される。
【００６８】
そして、プリーツフィルタ体１００の回転により掃出部材３０３が図１６に示す位置にくると、マイクロスイッチＳ１がプリーツフィルタ体１００の円筒部１１０の大径部１１０Ｂの検知から小径部１１０Ａの検知へと切り替わり、これによりモータＭの駆動が停止される。そして、掃出部材３０３が図１６に示す位置に移動すると、掃出部材３０３の第２摺接部３０３Ｂによる開閉蓋４５０の突起４５０Ａの押圧が解除され、開閉蓋４５０がスプリング４０１の付勢力により排出開口８４Ｋを閉塞する。
【００６９】
モータＭの駆動中、すなわち開閉蓋４５０によって排出開口８４Ｋが閉塞されるまでの間、手元操作管１３の操作部１３Ａのスイッチ１３ａを操作しても電動送風機２４は駆動されない。これにより、塵埃分離部５２の分離室部５４内へ排出された塵埃が排出開口８４Ｋから吸引されて再度プリーツフィルタ１０４に付着してしまうことが防止される。
【００７０】
手元操作管１３の操作部１３Ａのスイッチ１３ａが操作されると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００７１】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図２３において反時計回りに回転していく。
【００７２】
そして、この回転により塵埃と空気が慣性により分離され、空気が塵埃分離手段５５のネットフィルタＮＦ１（図１０参照）や開口１５４ＢのネットフィルタＮＦ２を通り、さらに吸引風路部５６を通ってフィルタ部８０の収納ケース８１内へ吸引されていく。
【００７３】
他方、分離された塵埃は、慣性力によって分離室部５４の導入開口５３Ａの集塵部７０の連通ケース部７２内へ一部の空気とともに導入される。この導入された塵埃および空気は連通ケース部７２の連通路７１を通って集塵室７３へ吸引されていき、塵埃は集塵室７３に集塵されていく。
【００７４】
集塵室７３へ吸引された空気は、ネットフィルタＮＦ３およびカバー板１７０の下部の開口１７０Ａを通って吸引風路部５６に吸引され、さらにフィルタ部８０の収納ケース８１内へ吸引されていく。
【００７５】
ネットフィルタＮＦ３は、所定距離離間した位置にカバー板１７０によって覆われているとともに、カバー板１７０の下部に開口１７０Ａが形成されていることにより、ネットフィルタＮＦ３の下部に多くの空気が流れる。このため、ネットフィルタＮＦ３の下側から目詰まりが生じていき、塵埃を集塵室７３により多く蓄積することができる。
【００７６】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００７７】
電動送風機２４の吸込開口２４Ａへ吸引された空気は電動送風機２４内を通って図２に示す掃除機本体１１の排気口２０Ｈから排気されていく。
【００７８】
掃除が終了したら、操作部１３Ａの操作スイッチ１３ａを操作して電動送風機２４の駆動を停止させる。この電動送風機２４の駆動が停止されると、図２１に示す制御装置２００がモータＭを駆動させる。モータＭの駆動により駆動ギアＧａが回転してプリーツフィルタ体１００が回転していく。
【００７９】
このプリーツフィルタ体１００の回転により、収納ケース８１の前壁部８４の板バネ体５００の折返部５０３がプリーツ枠１０５の突出部１０６に当接する。そして、プリーツフィルタ体１００の回転とともに板バネ体５００の板バネ部５０２が弾性変形していく。この弾性変形により板バネ体５００の折返部５０３がプリーツ枠１０５の突出部１０６を乗り越えると、板バネ部５０２の弾性力により次のプリーツ枠１０５の突出部１０６に折返部５０３を叩くことになる。
【００８０】
この叩きは、折返部５０３の面全体によって行われるので、プリーツ枠１０５に大きな衝撃を与えることができ、しかもプリーツ枠１０５はプリーツフィルタ１０４の稜線部１０４Ａ（図２６参照）の全長に亘って延びていることにより、プリーツフィルタ１０４の傾斜壁（フィルタ部）Ｗａ，Ｗｂ（図２７参照）の全体に亘って強い振動を与えることができる。このため、傾斜壁（フィルタ部）Ｗａ，Ｗｂに付着している塵埃を確実に且つ効率よく落とすことができる。
【００８１】
また、板バネ部５０２の折返部５０３がプリーツ枠１０５の突出部１０６を強く叩くが、プリーツフィルタ体１００の補強枠１０８とプリーツ枠１０５とでプリーツフィルタ１０４の襞Ｐａの稜線部（頂部）１０４Ａを挟持していることにより、プリーツフィルタ１０４の稜線部１０４Ａがプリーツ枠１０５から剥がれてしまうことが防止される。
【００８２】
そして、プリーツフィルタ体１００の回転とともに、各傾斜壁（フィルタ部）Ｗａ，Ｗｂに付着している塵埃が上記と同様にして落とされていく。すなわち、プリーツフィルタ１０４に付着している塵埃が確実に且つ効率よく落とされていく。
【００８３】
また、板バネ体５００の折返部５０３がプリーツ枠１０５の突出部１０６を乗り越える際に、その突出部１０６の上縁部とその折返部５０３との間に板バネ部５０２の弾性による圧接力により摩擦が働くが、その折返部５０３が所定の幅を有していることにより、その圧接力が幅全体に分散される。このため、その摩擦による突出部１０６の摩耗を小さくすることができる。
【００８４】
プリーツフィルタ１０４から振り落とされた塵埃は収納ケース８１の塵埃受部８６に溜まっていく。
【００８５】
板バネ体５００は、プリーツフィルタ体１００の回転中心より下側に設けられているので、プリーツフィルタ体１００の下側部分のプリーツフィルタ１０４に大きな振動が与えられることになる。このため、その下側部分のプリーツフィルタ１０４から塵埃が振り落とされてそのまま塵埃受部８６へ落ちていき、この落下の途中で再度プリーツフィルタ１０４に付着してしまうことがなく、このため効率よく塵埃を落とすことができる。
【００８６】
他方、プリーツフィルタ体１００とともに掃出体３００が回転していき、掃出体３００の掃出部材３０３の第１摺接部３０３Ａが収納ケース８１の塵埃受部８６の内周面を摺接移動していく。この摺接移動により、塵埃受部８６に溜まった塵埃が掻き上げられながら塵埃受部８６の周面上に沿って上に押し上げられていき、そして、掃出部材３０３が排出開口８４Ｋの位置にくると、上述のようにして排出開口８４Ｋが開成されて（図２２参照）、その押し上げられた塵埃が排出開口８４Ｋへ排出され、連通部材４０３を介して塵埃分離部５２の分離室部５４内へ戻される。
【００８７】
そして、プリーツフィルタ体１００が例えば１回転して、掃出部材３０３が図１６に示すの位置にくると、マイクロスイッチＳ１がプリーツフィルタ体１００の円筒部１１０の大径部１１０Ｂの検知から小径部１１０Ａの検知へと切り替わり、これによりモータＭの駆動が停止され、プリーツフィルタ体１００の回転が停止される。そして、上述のように排出開口８４Ｋが開閉蓋４５０により閉塞される。
【００８８】
また、掃出体３００の掃出部材３０３が排出開口８４Ｋを開成したとき、電源プラグをコンセントから引き抜いた場合、モータＭの駆動が停止され、排出開口８４Ｋは開成されたままとなるが、上述のように、電源プラグをコンセントに接続すると、モータＭを駆動してプリーツフィルタ体１００を回転させ、そして掃出部材３０３が図１６に示す位置にくると、モータＭの駆動を停止させて掃出部材３０３を図１６の実線位置に停止させるものであるから、排出開口８４Ｋは開閉蓋４５０に閉塞され、この後電動送風機２４を駆動させるものであるから、塵埃分離部５２の分離室部５４へ戻した塵埃を排出開口８４Ｋから吸引してしまうという不具合は防止される。
【００８９】
さらに、塵埃受部８６に溜まった塵埃は掃出部材３０３の回転移動により、排出開口８４Ｋから連通部材４０３を介して塵埃分離部５２の分離室部５４内へ戻されるものであるから、プリーツフィルタ１０４用の専用の集塵部を集塵部ユニット４１０に設けなくてもよい。
【００９０】
長期間の使用により、プリーツフィルタ１０４に目詰まりが生じた場合には、塵埃分離ユニット４００を掃除機本体１１から取り外してプリーツフィルタ１０４を清掃する。
【００９１】
塵埃分離ユニット４００の取り外しは、先ず掃除機本体１１から集塵部ユニット４１０を取り外した後に行うが、駆動ギアＧａがプリーツフィルタ体１００のギア１０７の回転中心位置より下側位置にとなるように設定することにより、駆動ギアＧａが邪魔になることなく、塵埃分離ユニット４００を上に持ち上げるだけで、プリーツフィルタ体１００のギア１０７は駆動ギアＧａから外れる。このため、塵埃分離ユニット４００を掃除機本体１１の集塵ユニット室２２から簡単に取り外すことができる。
【００９２】
また、塵埃分離ユニット４００の装着の際にも、集塵ユニット室２２の上から挿入すれば、駆動ギアＧａが邪魔になることなく、プリーツフィルタ体１００のギア１０７が駆動ギアＧａに噛合して、塵埃分離ユニット４００を集塵ユニット室２２に簡単に装着することができる。
【００９３】
上記実施例では、排出開口８４Ｋから排出される塵埃を塵埃分離部５２の分離室部５４内へ戻しているが、これに限らず、例えば塵埃分離部５２の上流となる案内風路管５７又は集塵部７０へ戻してもよい。また、慣性分離タイプの電気掃除機に適用したものについて説明したが通常の例えば紙フィルタを使用する電気掃除機に適用してもよい。
【００９４】
また、上記実施例では、プリーツフィルタ体１００を回転させることにより、プリーツフィルタ１０４に付着した塵埃を落としているが、これに限らずプリーツフィルタ体１００を回転させずに突起８８（図１６参照）を回動させてプリーツフィルタ１０４に振動を与えて塵埃を落とすようにしたものであってもよい。
【００９５】
上記実施例は、キャニスタ型のタイプの電気掃除機について説明したが、アップライト式の電気掃除機や、手元操作管等に塵埃分離ユニットを取り付ける電気掃除機に適用することもできる。
【００９６】
以上説明したように、この発明の実施の形態の電気掃除機用フィルタは、波形状フィルタ本体（プリーツフィルタ１０４）の襞Ｐａの頂部（稜線部１０４Ａ）に樹脂製で所定幅の被叩き部材（プリーツ枠１０５）が固着されている。しかも、前記襞Ｐａの頂部（稜線部１０４Ａ）の長手方向途中に内外面に開口する切欠１０４ｂ１が形成されていると共に、前記被叩き部材（プリーツ枠１０５）は、少なくとも前記切欠１０４ｂ１及び前記襞Ｐａの切欠周囲外面を覆うカバー部（１０５ａ，１０５ｂ）と、前記襞の切欠周囲内面を覆う抜止部（補強枠１０８）とを有する。
【００９７】
この構成によれば、被叩き部材（プリーツ枠１０５）が叩き部材（板バネ部５０２）により叩かれて、被叩き部材（プリーツ枠１０５）に外力が作用しても、抜止部（補強枠１０８）の作用により被叩き部材（プリーツ枠１０５）が波形状フィルタ本体（プリーツフィルタ１０４）の襞Ｐａの頂部（稜線部１０４Ａ）外面から剥離する方向に移動できないので、波形状フィルタ本体（プリーツフィルタ１０４）の襞Ｐａの頂部（稜線部１０４Ａ）から被叩き部材（プリーツ枠１０５）が剥離することを確実に防止できる。
【００９８】
また、この発明の実施の形態の電気掃除機用フィルタの前記カバー部（１０５ａ，１０５ｂ）は前記襞Ｐａの延びる方向全長に渡って前記襞Ｐａの頂部（稜線部１０４Ａ）外面に帯状に形成されている。
【００９９】
この構成によれば、被叩き部材（プリーツ枠１０５）が叩き部材（板バネ部５０２）により叩かれたときに生じる振動が波形状フィルタ本体（プリーツフィルタ１０４）の襞Ｐａの全体に伝達されるので、波形状フィルタ本体（プリーツフィルタ１０４）の各襞Ｐａに付着した細塵を全体に渡って落とすことができる。
【図面の簡単な説明】
【０１００】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】図３に示す掃除機本体の縦断面斜視図である。
【図５】集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの他の方向から見た斜視図である。
【図９】塵埃分離ユニットの外観を示した斜視図である。
【図１０】収納ケースの前壁部と塵埃分離部とダクトを示した概念図である。
【図１１】集塵部ユニットの外観を示した斜視図である。
【図１２】図１１の集塵部ユニットを他の方向から見た斜視図である。
【図１３】蓋体を外した集塵部ユニットを示した斜視図である。
【図１４】蓋体を示した斜視図である。
【図１５】図１１の集塵部ユニットの平面図である。
【図１６】収納ケースと掃出体を示した説明図である。
【図１７】プリーツフィルタ体を示した側面図である。
【図１８】図１７に示すプリーツフィルタ体の円筒部の形状を示した説明図である。
【図１９】掃出体を示した正面図である。
【図２０】図１９に示した掃出体の斜視図である。
【図２１】電気掃除機の制御系の構成を示したブロック図である。
【図２２】掃出部材によって排出開口が開成された状態を示した説明図である。
【図２３】塵埃分離部を示した斜視図である。
【図２４】板バネ体の取り付け状態を示した説明図である。
【図２５】図２４に示す板バネを示した側面図である。
【図２６】（ａ）はプリーツフィルタの一部を示した斜視図、（ｂ）は（ａ）の要部拡大図である。
【図２７】プリーツフィルタの稜線に取り付けられたプリーツ枠を示した説明図である。
【図２８】（ａ）は図２７のＡ２−Ａ２線に沿う断面図、（ｂ）は図２７のＡ１−Ａ１線に沿う断面図である。
【図２９】図２７のプリーツフィルタとプリーツ枠と補強枠を示した縦断面である。
【図３０】プリーツフィルタ体の斜視図である。
【符号の説明】
【０１０１】
１０４…プリーツフィルタ（波形状フィルタ本体）
Ｐａ…襞
１０４Ａ…稜線部（頂部）
１０５…プリーツ枠（被叩き部材）
１０５ａ…稜線カバー部（カバー部）
１０５ｂ…外面カバー部（カバー部）
１０４ｂ１…切欠
１０８…補強枠（抜止部）
【図１】
2007117652.tif 000003
【図２】
2007117652.tif 000004
【図３】
2007117652.tif 000005
【図４】
2007117652.tif 000006
【図５】
2007117652.tif 000007
【図６】
2007117652.tif 000008
【図７】
2007117652.tif 000009
【図８】
2007117652.tif 000010
【図９】
2007117652.tif 000011
【図１０】
2007117652.tif 000012
【図１１】
2007117652.tif 000013
【図１２】
2007117652.tif 000014
【図１３】
2007117652.tif 000015
【図１４】
2007117652.tif 000016
【図１５】
2007117652.tif 000017
【図１６】
2007117652.tif 000018
【図１７】
2007117652.tif 000019
【図１８】
2007117652.tif 000020
【図１９】
2007117652.tif 000021
【図２０】
2007117652.tif 000022
【図２１】
2007117652.tif 000023
【図２２】
2007117652.tif 000024
【図２３】
2007117652.tif 000025
【図２４】
2007117652.tif 000026
【図２５】
2007117652.tif 000027
【図２６】
2007117652.tif 000028
【図２７】
2007117652.tif 000029
【図２８】
2007117652.tif 000030
【図２９】
2007117652.tif 000031
【図３０】
2007117652.tif 000032